(57)【要約】【課題】高精細であっても隣接する放電セル間での誤放電を防止でき、良好な画像表示が可能なプラズマディスプレイパネルを実現することを目的とする。【解決手段】走査電極４と維持電極５とが、放電セル１６において、一方、例えば走査電極４が、他方、例えば維持電極５に向かって突出する突出部４ｃを有し、維持電極５は、突出部４ｃを包囲する凹部５ｃを有し、この突出部４ｃと凹部５ｃとを対向することで主放電ギャップＭＧを構成する。このことにより、放電の領域は放電セル１６の中央部に集中し、且つ放電による荷電粒子の移動は放射状となり隣接する放電セル１６に向かう成分は大幅に抑制されることから、高精細であっても隣接する放電セル１６間での誤放電を防止でき、良好な画像表示が可能なＰＤＰを実現することができる。【選択図】  図２
2004288589.tif 000002
【特許請求の範囲】
【請求項１】
走査電極と維持電極とからなる表示電極を複数有する前面板と、表示電極と直交するアドレス電極を複数有する背面板とを、隔壁を挟んで対向配置し、表示電極とアドレス電極とが交差する部分に放電セルを形成したプラズマディスプレイパネルにおいて、走査電極と維持電極とは、放電セルにおいて、一方が、他方に向かって突出する突出部を有し、他方は、その突出部の一部を包囲する凹部を有し、この突出部と凹部とが対向することで主放電ギャップを構成したプラズマディスプレイパネル。
【請求項２】
主放電ギャップは、走査電極と維持電極とのギャップの、隔壁に沿う部分での長さより小さい請求項１に記載のプラズマディスプレイパネル。
【発明の詳細な説明】
【０００１】
【発明の属する技術分野】
本発明は、表示デバイスとして知られているプラズマディスプレイパネル（ＰＤＰ）に関するものである。
【０００２】
【従来の技術】
ＰＤＰは、ガス放電により紫外線を発生させ、この紫外線で蛍光体を励起して発光させることにより画像表示を行っている。
【０００３】
ＰＤＰには、大別して、駆動的にはＡＣ型とＤＣ型とがあり、放電形式では面放電型と対向放電型とがあるが、高精細化、大画面化および構造の簡素性に伴う製造の簡便性から、現状では、３電極構造の面放電型のＰＤＰが主流である。
【０００４】
その構造の一例について説明する。図７は、従来のＰＤＰの概略構成の一例を示す断面斜視図である。
【０００５】
ＰＤＰ１の前面板２は、前面側の、例えばガラスのような透明且つ絶縁性の基板３の一主面上に形成した、走査電極４と維持電極５とからなる表示電極６と、その表示電極６を覆う誘電体層７と、さらにその誘電体層７を覆う、例えばＭｇＯによる保護層８とを有する構造である。走査電極４と維持電極５とは、電気抵抗の低減と可視光の透過性の両立を目的として、例えばＡｇのような金属材料からなるバスライン部４ａ、バスライン部５ａと、透明電極部４ｂ、透明電極部５ｂとの積層した構造としている。また、走査電極４と維持電極５との間隔である主放電ギャップＭＧは、低電圧で放電できるように決定される。それに対し、隣接する表示電極６間の間隔である隣接間ギャップＩＰＧは、隣り合う放電セル１６間の誤放電が起きないように、主放電ギャップＭＧよりも十分広くなるように決定される。
【０００６】
また背面板９は、背面側の、例えばガラスのような絶縁性の基板１０の一主面上に形成したアドレス電極１１と、そのアドレス電極１１を覆う誘電体層１２と、誘電体層１２上の、隣り合うアドレス電極１１の間に相当する場所に位置する隔壁１３と、隔壁１３間の蛍光体層１４Ｒ、１４Ｇ、１４Ｂとを有する構造である。
【０００７】
そして、前面板２と背面板９とは、隔壁１３を挟んで、表示電極６とアドレス電極１１とが直交するように対向し、画像表示領域の外の周囲を封着部材により封止した構成であり、前面基板２と背面基板９との間に形成された放電空間１５には、例えばＮｅ−Ｘｅ５％の放電ガスを６６．５ｋＰａ（５００Ｔｏｒｒ）の圧力で封入している。そして、放電空間１５の表示電極６とアドレス電極１１との交差部が放電セル１６（単位発光領域）として動作する。
【０００８】
そして、走査電極４と維持電極５との間で放電が発生すると紫外線が生じ、この紫外線によって蛍光体層１４Ｒ、１４Ｇ、１４Ｂが励起され可視光線が発生する。発生した可視光線は、前面板２の基板３を通して表示方向へ取り出される（例えば、非特許文献１参照）。
【０００９】
【非特許文献１】
２００１ＦＰＤテクノロジー大全、株式会社電子ジャーナル、２０００年１０月２５日、ｐ５４２−ｐ５４７
【００１０】
【発明が解決しようとする課題】
上述のＰＤＰに対しては高精細化への要求が高まっており、これに対応するためには放電セルの配列ピッチを狭くする必要があるが、そのような狭ピッチで配列された場合、隣接する放電セル間で誤放電が発生するという問題があり、画像表示に対して悪影響を与えていた。
【００１１】
ここで、走査電極４と維持電極５との間での放電について説明する。図８に、表示電極６の概略構成の部分平面図を示す。隔壁１３が当接する位置を一点鎖線で示す。図８中の「＋」「−」は、放電が発生する際の表示電極６の電圧の極性の、ある瞬間での状態を示すものであり、放電の維持の際には、この電極の極性が周期的に入れ替わる。表示電極６に印加される電圧の極性が上述のようであると、最初に放電が発生する、走査電極４と維持電極５との間の主放電ギャップＭＧ間の電位勾配と、その外側のバスライン４ａとバスライン部５ａ間の電位勾配は同じ向きとなる。つまり、主放電ギャップＭＧで発生した放電の、発生の際の進行方向と、その外側での電位勾配とが同じ向きとなる。しかも、主放電ギャップＭＧからバスライン部４ａおよびバスライン部５ａまでの領域は、透明電極４ｂおよび透明電極５ｂにより導電性となっている。以上のことから、主放電ギャップＭＧで発生した放電の領域は、バスライン部４ａ、５ａに向かって拡がりやすい状態となり、放電により移動する荷電粒子の方向は、図８中の矢印で示す方向となり、その結果、隣り合う放電セル１６間での誤放電が発生しやすくなる。
【００１２】
本発明はこのような現状に鑑みなされたもので、高精細であっても隣接する放電セル間での誤放電を防止でき、良好な画像表示が可能なＰＤＰを実現することを目的とする。
【００１３】
【課題を解決するための手段】
この目的を達成するために本発明のプラズマディスプレイパネルは、走査電極と維持電極とからなる表示電極を複数有する前面板と、表示電極と直交するアドレス電極を複数有する背面板とを、隔壁を挟んで対向配置し、表示電極とアドレス電極とが交差する部分に放電セルを形成したプラズマディスプレイパネルにおいて、走査電極と維持電極とは、放電セルにおいて、一方が、他方に向かって突出する突出部を有し、他方は、その突出部の一部を包囲する凹部を有し、この突出部と凹部とが対向することで主放電ギャップを構成したものである。
【００１４】
【発明の実施の形態】
すなわち、本発明の請求項１に記載の発明は、走査電極と維持電極とからなる表示電極を複数有する前面板と、表示電極と直交するアドレス電極を複数有する背面板とを、隔壁を挟んで対向配置し、表示電極とアドレス電極とが交差する部分に放電セルを形成したプラズマディスプレイパネルにおいて、走査電極と維持電極とは、放電セルにおいて、一方が、他方に向かって突出する突出部を有し、他方は、その突出部の一部を包囲する凹部を有し、この突出部と凹部とが対向することで主放電ギャップを構成したプラズマディスプレイパネルである。
【００１５】
また、請求項２に記載の発明は、請求項１に記載の発明において、主放電ギャップは、走査電極と維持電極とのギャップの、隔壁に沿う部分での長さより小さいものである。
【００１６】
以下、本発明の一実施の形態によるプラズマディスプレイパネルについて、図１〜図６の図面を用いて説明する。なお、図１〜図６において、図７、図８に示す部分と同一部分については同一番号を付して説明は省略する。
【００１７】
図１は本発明の一実施の形態によるプラズマディスプレイパネルの概略構成の一例を示す断面斜視図である。
【００１８】
ＰＤＰ１の前面板２は、画像表示面側の、例えばガラスのような透明、且つ絶縁性の基板３の一主面上に形成した、走査電極４と維持電極５とからなる表示電極６と、その表示電極６を覆う誘電体層７と、さらにその誘電体層７を覆う、例えばＭｇＯによる保護層８とを有する構造である。走査電極４と維持電極５とは、電気抵抗の低減と可視光の透過性の両立を目的として、例えばＡｇのような金属材料からなるバスライン部４ａ、バスライン部５ａと、透明電極部４ｂ、透明電極部５ｂとの積層した構造としている。
【００１９】
また背面板９は、背面側の、例えばガラスのような絶縁性の基板１０の一主面上に形成したアドレス電極１１と、そのアドレス電極１１を覆う誘電体層１２と、誘電体層１２上の、隣り合うアドレス電極１１の間に相当する場所に位置する隔壁１３と、隔壁１３間の蛍光体層１４Ｒ、１４Ｇ、１４Ｂとを有する構造である。
【００２０】
そして、前面板２と背面板９とは、隔壁１３を挟んで、表示電極６とアドレス電極１１とが直交するように対向し、画像表示領域の外の周囲を封着部材により封止した構成であり、前面基板２と背面基板９との間に形成された放電空間１５には、例えばＮｅ−Ｘｅ５％の放電ガスを６６．５ｋＰａ（５００Ｔｏｒｒ）の圧力で封入している。そして、放電空間１５の表示電極６とアドレス電極１１との交差部が放電セル１６（単位発光領域）として動作する。
【００２１】
ここで、走査電極４と維持電極５との概略構成の部分平面図を図２に示す。図２においては、隔壁１３の位置を一点鎖線で示す。図２に示すように、本実施の形態においては、走査電極４と維持電極５とは、放電セル１６において、一方、例えば走査電極４が、他方、例えば維持電極５に向かって突出する突出部４ｃを有し、維持電極５は、その突出部４ｃの一部、すなわち、突出部４ｃの透明電極４ｂとの付け根の部分を除いた部分を包囲する凹部５ｃを有し、この突出部４ｃと凹部５ｃとが対向することで主放電ギャップＭＧを構成している。主放電ギャップＭＧは、低電圧で放電できるように決定される。それに対し、隣接する表示電極６間の間隔である隣接間ギャップＩＰＧ（図１）は、隣り合う放電セル１６間の誤放電が起きないように、主放電ギャップＭＧよりも十分広くなるように決定される。
【００２２】
ここで、プラズマディスプレイパネルの高効率化を達成するためには、隣接する放電セル１６との誤放電を防止しつつ、非発光領域をできる限り狭くすることにより、蛍光体層１４Ｒ、１４Ｇ、１４Ｂからの可視光線の取り出し効率を高めることが重要であるが、本実施の形態によれば、主放電ギャップＭＧが、突出部４ｃと、それを包囲する凹部５ｃとが対向することで構成されており、放電による荷電粒子の移動の方向性を分散させるとともに、放電の領域を放電セル１６の中央に集中させることができるため、隣接する放電セル１６との誤放電を抑制することが可能となる。また、表示電極６のバスライン部４ａ、５ａは、その電気抵抗を下げる目的から、銀や銅のような抵抗の低い金属材料で形成されるが、これらは光を透過しないため、蛍光体層１４Ｒ、１４Ｇ、１４Ｂからの可視光線を遮り、発光効率を低下させてしまうが、本実施の形態によれば、バスライン部４ａ、５ａは放電セル１６の端部に位置させることができるため、可視光線の取り出し効率を高めることが可能となる。
【００２３】
本実施の形態の構成について、以下に詳細に述べる。図３に、本実施の形態の構成における表示電極６の概略構成の部分平面図を示す。図中の「＋」「−」は、放電が発生する際の表示電極６の電圧の極性の、ある瞬間での状態である。この極性は、放電の維持の際には、周期的に入れ替わる。
【００２４】
図８に示した従来の構成においては、放電ギャップＭＧは、走査電極４と維持電極５とが対向する部分で構成されるものであることから、放電は表示電極６の伸延方向に対して直交する方向に発生することとなる。このため、放電で移動する荷電粒子は、図８中の矢印で示すように表示電極６の伸延方向と垂直な方向となる。ここで、移動の向きは表示電極６の電圧の極性の周期的な入れ替わりに応じて反転するが、その向きの一つが、隣接する放電セル１６に向かう向きであることから、隣接する放電セル１６への移動が起こりやすくなり、誤放電が多発することとなる。
【００２５】
しかしながら、本実施の形態の構成では、図３に示すように、放電ギャップＭＧは、突出部４ｃとそれを包囲する凹部５ｃとが対向することで構成されており、放電で移動する荷電粒子の向きは、図３中に矢印で示すように、主放電ギャップＭＧを中心として、放電セル１６内を放射線状に広がる向きと、放射状に収束する向きになる。この向きは、表示電極６の電圧の極性の周期的な入れ替わりに応じて反転するが、放電セル１６内を広がる向きであっても、それは、放電セル１６の中央部の主放電ギャップＭＧから放射線状に広がるものであるため、表示電極６に直交する方向のベクトルをもつ荷電粒子は、従来構成に比べ大幅に減少し、従って、誤放電は抑制される。
【００２６】
また、主放電ギャップＭＧは、図８に示す従来構成においては、主放電ギャップＭＧが隔壁１３と接する部分にまで形成されているため、放電発生箇所が放電セル１６内全体に広がってしまう場合があるが、本実施の形態の場合は、主放電ギャップＭＧの物理的な形状から、放電の発生を放電セル１６の中央部に集中させることができるため、放電時に流れる電流量を抑制することも可能となる。
【００２７】
以上においては、突出部４ｃの形状と凹部５ｃの形状とが同心円で、包囲する領域において主放電ギャップＭＧが均一でなる例を示したが、図４（ａ）に示すような、突出部４ｃと凹部５ｃとが同心の楕円で、これらが対向することで主放電ギャップＭＧを構成したものや、図４（ｂ）に示すような、突出部４ｃと凹部５ｃとが同心の多角形で、これらが対向することで主放電ギャップを構成したものであっても同様の効果を得ることが可能である。
【００２８】
また、図５に示すように、主放電ギャップＭＧが、走査電極４と維持電極５とのギャップの、隔壁１３に沿う部分の長さＧより小さくすることで、上述した放電の発生を集中させる効果をさらに確実なものとすることができる。
【００２９】
また、図６に示すように、突出部４ｃがバスライン部４ａより突出した形状であり、その突出部４ｃを、同様にバスライン部５ａより突出した形状の凹部５ｃが包囲することで構成した主放電ギャップＭＧによっても、以上述べたのと同様の効果を得ることが可能である。また、この場合、図５に示した構成と同様、主放電ギャップＭＧが、走査電極４と維持電極５とのギャップの、隔壁１３に沿う部分の長さＧより小さいので、放電の発生を集中させる効果をさらに確実なものとすることができる。
【００３０】
【発明の効果】
以上のように本発明のプラズマディスプレイパネルによれば、放電の領域は放電セルの中央部に集中し、且つ放電による荷電粒子の移動は放射状となり隣接する放電セルに向かう成分が大幅に抑制されることから、高精細であっても隣接する放電セル間での誤放電を防止でき、良好な画像表示が可能なＰＤＰを実現することができる。
【図面の簡単な説明】
【図１】本発明の一実施の形態によるプラズマディスプレイパネルの概略構成の一例を示す断面斜視図
【図２】本発明の一実施の形態によるプラズマディスプレイパネルの、走査電極と維持電極との概略構成を示す部分平面図
【図３】本発明の一実施の形態によるプラズマディスプレイパネルの、走査電極と維持電極と電圧の極性と荷電粒子の移動方向の例を示す図
【図４】本発明の他の実施の形態によるプラズマディスプレイパネルの、走査電極と維持電極との概略構成を示す部分平面図
【図５】本発明の他の実施の形態によるプラズマディスプレイパネルの、走査電極と維持電極との概略構成を示す部分平面図
【図６】本発明の他の実施の形態によるプラズマディスプレイパネルの、走査電極と維持電極との概略構成を示す部分平面図
【図７】従来のプラズマディスプレイパネルの概略構成の一例を示す断面斜視図
【図８】従来のプラズマディスプレイパネルの、走査電極と維持電極との概略構成を示す部分平面図
【符号の説明】
１  プラズマディスプレイパネル
２  前面板
４  走査電極
４ｃ  突出部
５  維持電極
５ｃ  凹部
６  表示電極
９  背面板
１１  アドレス電極
１３  隔壁
１６  放電セル
【図１】
2004288589.tif 000003
【図２】
2004288589.tif 000004
【図３】
2004288589.tif 000005
【図４】
2004288589.tif 000006
【図５】
2004288589.tif 000007
【図６】
2004288589.tif 000008
【図７】
2004288589.tif 000009
【図８】
2004288589.tif 000010